(57)【特許請求の範囲】
【請求項１】
脂肪族ポリエステル系樹脂とリン化合物とを溶融混練する脂肪族ポリエステル系樹脂組成物の製造方法において、
前記リン化合物として、粒径３．０ｍｍ以下に細粒化されたリン酸エステルが選択され、乾燥により含水率を１．５ｗｔ％以下に調整する工程と、
前記脂肪族ポリエステル系樹脂１００重量部に対し、乾燥した前記リン化合物を０．００３〜３重量部の割合で配合し溶融混練する工程と、を含む脂肪族ポリエステル系樹脂組成物の製造方法。
【請求項２】
請求項１に記載の脂肪族ポリエステル系樹脂組成物の製造方法において、
前記リン酸エステルは、少なくとも１つの水酸基及び少なくとも１つの長鎖アルキルエステル基を有することを特徴とする脂肪族ポリエステル系樹脂組成物の製造方法。
【請求項３】
請求項２に記載の脂肪族ポリエステル系樹脂組成物の製造方法において、
前記リン酸エステルは、モノステアリルリン酸エステル及びジステアリルリン酸エステルから選択される少なくとも一つであることを特徴とする脂肪族ポリエステル系樹脂組成物の製造方法。
【請求項４】
脂肪族ポリエステル系樹脂とリン化合物とを溶融混練する脂肪族ポリエステル系樹脂組成物の製造方法において、
前記リン化合物として、粒径３．０ｍｍ以下に細粒化されたサイクリックネオペンタンテトライルビス（２，６−ジ−ｔｅｒｔ−ブチル−４−メチルフェニル）ホスファイト、サイクリックネオペンタンテトライルビス（２，４−ジ−ｔｅｒｔ−ブチルフェニル）ホスファイト及びサイクリックネオペンタンテトライルビス（オクタデシル）ホスファイトのなかから少なくとも一つが選択され、乾燥により含水率を１．５ｗｔ％以下に調整する工程と、
前記脂肪族ポリエステル系樹脂１００重量部に対し、乾燥した前記リン化合物を０．００３〜３重量部の割合で配合し溶融混練する工程と、を含む脂肪族ポリエステル系樹脂組成物の製造方法。
【請求項５】
請求項１〜４のいずれか１項に記載の脂肪族ポリエステル系樹脂組成物の製造方法において、前記脂肪族ポリエステル系樹脂１００重量部に対し、カルボキシル基封止剤０．０１〜１０重量部をさらに配合することを特徴とする脂肪族ポリエステル系樹脂組成物の製造方法。
【請求項６】
請求項１〜５のいずれか１項に記載の脂肪族ポリエステル系樹脂組成物の製造方法において、前記脂肪族ポリエステル系樹脂組成物がポリグリコール酸系樹脂組成物であることを特徴とする脂肪族ポリエステル系樹脂組成物の製造方法。
【発明の詳細な説明】
【技術分野】
【０００１】
本発明は、脂肪族ポリエステル系樹脂組成物及びその製造方法に関し、特にリン酸エステルの配合技術に関する。
【背景技術】
【０００２】
ポリ乳酸やポリグリコール酸などに代表される脂肪族ポリエステルは、生分解性に優れている。中でもポリグリコール酸（以下、ＰＧＡ）は、耐熱性、ガスバリア性、機械的強度等に優れており、単独又は他の樹脂材料と複合化したうえで各種シート、フィルム、容器、射出成型品、繊維、微粉体などの用途展開が図られている。
そして、溶融加工時の熱安定性を向上させることを目的として、この脂肪族ポリエステル系樹脂にリン酸エステルを配合し、溶融混練することにより、脂肪族ポリエステル系樹脂組成物を製造している（例えば、特許文献１〜２）。
【先行技術文献】
【特許文献】
【０００３】
【特許文献１】特表２００６−０９５５２６号公報
【特許文献２】特開２００７−１２６６５３号公報
【発明の概要】
【発明が解決しようとする課題】
【０００４】
脂肪族ポリエステル系樹脂組成物は、一般に加水分解性を有しているために、この加水分解の進行の程度によっては、ガスバリア性や機械的強度が低下することがある。リン酸エステルは、脂肪族ポリエステル系樹脂組成物の熱安定性向上に作用し、熱分解物の生成を抑制するため、その脂肪族ポリエステル系樹脂組成物の耐水性も向上させる効果を有する。通常市販のリン酸エステルは、比較的高濃度の水分を含有するが、脂肪族ポリエステル系樹脂組に配合して使用する場合は、その配合量が組成物全体からすれば数百ｐｐｍ程度の微小量であるために、含有水分が脂肪族ポリエステル系樹脂組の耐水性などの品質に影響しないと推定されていた。そのため、リン酸エステルは、市販品をそのまま使用し厳密な水分量管理の必要性を認識せずに使用するのが実状であった。
【０００５】
一方、発明者らは、脂肪族ポリエステル系樹脂組成物の品質として特に耐水性の変動の改善とより一層の向上のために鋭意検討した結果、リン酸エステルに含有する極微量の水分が脂肪族ポリエステル系樹脂組成物の耐水性に影響し、その含有量を一定値以下に制御することにより、品質として特に耐水性が安定した脂肪族ポリエステル系樹脂組成物を製造することが可能なこと、更に、水分含有量をより一層低減させることにより、従来よりも耐水性の向上が可能なことを見出した。従来より脂肪族ポリエステル系樹脂組成物中の水分量と耐水性の関係は知られており（図２参照）、その組成物成分として使用するリン酸エステル中の水分も耐水性に作用することも推定される。しかしながら、驚くべきことに、リン酸エステル中の水分の耐水性向上作用（図１参照）は従来知られる組成物中の水分の作用よりはるかに大きいことを見出し、本発明に達した。
【０００６】
従来、ポリグリコール酸系樹脂組成物中に含まれる水分量と耐水性の関係は図２の如く得られている。すなわち、この図に基づく従来知見によれば、ポリグリコール酸系樹脂組成物中の水分２ｐｐｍ減少するとポリグリコール酸の重量分子量が７万（初期は１９万）に到達する時間が約１．２時間延長（耐水化により水分分解時間遅延）されることが分る。一方、リン酸エステルを２００ｐｐｍ添加するポリグリコール酸系樹脂組成物において、そのリン酸エステル中の水分量と耐水性の関係は図１の如く見出した。すなわち、リン酸エステル中の水分量１ｗｔ％の変化はポリグリコール酸系樹脂組成物中の水分量としては２ｐｐｍになるが、この水分量の変化に対する耐水化時間は約１６時間であり、顕著に耐水性向上に作用している。
【０００７】
本発明はこのような事情を考慮してなされたもので、耐水性の改善された脂肪族ポリエステル系樹脂組成物、及びその製造方法を提供することを目的とする。
【課題を解決するための手段】
【０００８】
脂肪族ポリエステル系樹脂とリン化合物とを溶融混練する脂肪族ポリエステル系樹脂組成物の製造方法において、前記リン化合物として、粒径３．０ｍｍ以下に細粒化されたリン酸エステルが選択され、乾燥により含水率を１．５ｗｔ％以下に調整する工程と、前記脂肪族ポリエステル系樹脂１００重量部に対し、乾燥した前記リン化合物を０．００３〜３重量部の割合で配合し溶融混練する工程と、を含むことを特徴とする。
さらに脂肪族ポリエステル系樹脂とリン化合物とを溶融混練する脂肪族ポリエステル系樹脂組成物の製造方法において、前記リン化合物として、粒径３．０ｍｍ以下に細粒化されたサイクリックネオペンタンテトライルビス（２，６−ジ−ｔｅｒｔ−ブチル−４−メチルフェニル）ホスファイト、サイクリックネオペンタンテトライルビス（２，４−ジ−ｔｅｒｔ−ブチルフェニル）ホスファイト及びサイクリックネオペンタンテトライルビス（オクタデシル）ホスファイトのなかから少なくとも一つが選択され、乾燥により含水率を１．５ｗｔ％以下に調整する工程と、前記脂肪族ポリエステル系樹脂１００重量部に対し、乾燥した前記リン化合物を０．００３〜３重量部の割合で配合し溶融混練する工程と、を含むことを特徴とする。
【発明の効果】
【０００９】
本発明により、耐水性の改善された脂肪族ポリエステル系樹脂組成物、及びその製造方法が提供される。
【図面の簡単な説明】
【００１０】
【図１】配合されるリン酸エステルの含水率（ｗｔ％）と、ＰＧＡ樹脂組成物の重量平均分子量Ｍｗが１９×１０4から７×１０4に到達する時間との関係を示すグラフ。
【図２】原料ＰＧＡ中の含水率（ｐｐｍ）と、ＰＧＡ樹脂組成物の重量平均分子量Ｍｗが１９×１０4から７×１０4に到達する時間との関係を示すグラフ。
【発明を実施するための形態】
【００１１】
以下、本発明の脂肪族ポリエステル系樹脂組成物、及びその製造方法の好ましい実施形態について説明する。
（脂肪族ポリエステル系樹脂）
脂肪族ポリエステル系樹脂組成物を構成する脂肪族ポリエステル系樹脂は、グリコール酸およびグリコール酸の二分子環状エステルであるグリコリド（ＧＬ）を含むグリコール酸類、シュウ酸エチレン（即ち、１，４−ジオキサン−２，３−ジオン）、ラクチド類、ラクトン類（例えば、β−プロピオラクトン、β−ブチロラクトン、β−ピバロラクトン、γ−ブチロラクトン、δ−バレロラクトン、β−メチル−δ−バレロラクトン、ε−カプロラクトン等）、カーボネート類（例えばトリメチリンカーボネート等）、エーテル類（例えば１，３−ジオキサン等）、エーテルエステル類（例えばジオキサノン等）、アミド類（εカプロラクタム等）などの環状モノマー；乳酸、３−ヒドロキシプロパン酸、３−ヒドロキシブタン酸、４−ヒドロキシブタン酸、６−ヒドロキシカプロン酸などのヒドロキシカルボン酸またはそのアルキルエステル；エチレングリコール、１，４−ブタンジオール等の脂肪族ジオール類と、こはく酸、アジピン酸等の脂肪族ジカルボン酸類またはそのアルキルエステル類との実質的に等モルの混合物；等の脂肪族エステルモノマー類の単独または共重合体が挙げられる。
【００１２】
（ポリグリコール酸系樹脂）
脂肪族ポリエステル系樹脂の中でも、耐熱性、ガスバリア性、機械的強度の観点でグリコール酸の単独または共重合体を含むポリグリコール酸系樹脂が好ましく用いられる。より詳しくは、式：−（Ｏ・ＣＨ2・ＣＯ）−で表わされるグリコール酸の繰り返し単位のみからなる単独重合体や、この繰り返し単位を６０ｗｔ％以上含むグリコール酸共重合体を含むものである。ポリグリコール酸系樹脂の上記グリコール酸の繰り返し単位の含有割合は６０ｗｔ％以上としたが、７０ｗｔ％以上であることがより好ましく、８０ｗｔ％以上であることが特に好ましい。この含有割合が小さ過ぎると、結晶性が低下する傾向があり、また耐熱性、強度及び安定性が損なわれる傾向がある。
ポリグリコール酸系樹脂の合成法としては、グリコール酸単独および必要に応じて共重合成分を加えて縮合重合する方法の他、グリコール酸の２分子間環状エステルであるグリコリドおよび必要に応じて共重合成分の環状エステルを加えて開環重合する方法が挙げられる。
【００１３】
本発明で使用するポリグリコール酸系樹脂は、温度２４０℃における剪断速度１２２ｓｅｃ-1の条件下で測定した溶融粘度が、１００〜１０，０００Ｐａ・ｓ、より好ましくは３００〜８，０００Ｐａ・ｓ、特に好ましくは４００〜５，０００Ｐａ・ｓの範囲内にあることが好ましい。
【００１４】
（リン酸エステル）
脂肪族ポリエステル系樹脂組成物には、熱安定性向上を目的として、主成分の脂肪族ポリエステル系樹脂１００重量部に対し、リン酸エステルが好ましくは０．００３〜３重量部、より好ましくは０．００５〜１重量部の割合で配合される。０．００３重量部未満では配合効果が乏しく、３重量部を超えると、溶融混練が不十分になり易い。
さらに、リン酸エステルは、主成分の脂肪族ポリエステル系樹脂と混練される前に、乾燥され、その含水率が１．５ｗｔ％以下、好ましくは０．７ｗｔ％以下の範囲をとるようにする。この含水率が１．５ｗｔ％より大きいと製造される脂肪族ポリエステル系樹脂組成物の耐水性が低下してしまう。
【００１５】
このようなリン酸エステルとして、少なくとも１つの水酸基と少なくとも１つの長鎖アルキルエステル基とを持つリン化合物が挙げられる。この長鎖アルキルの炭素原子数は、８〜２４個の範囲が好ましい。この炭素原子数が８未満では、溶融温度において揮発しやすいため添加するのが難しく、２４を超えると、溶融混練が不十分となる。また、固体形状で投入する場合、投入量安定性の観点から５００ｇ／ｈ以下で連続投入する場合は粒径３．０ｍｍ以下に細粒化したものが好ましく、３００ｇ／ｈ以下の場合は２．０ｍｍ以下の細粒品がより好ましい。この粒径を超えると投入量が不安定になり易い。リン酸エステルの具体例としては、モノ又はジステアリルリン酸エステルが挙げられる。
【００１６】
その他、適用されるリン化合物としては、ペンタエリスリトール骨格構造を有するものが挙げられる。具体例としては、サイクリックネオペンタンテトライルビス（２，６−ジ−ｔｅｒｔ−ブチル−４−メチルフェニル）ホスファイト、サイクリックネオペンタンテトライルビス（２，４−ジ−ｔｅｒｔ−ブチルフェニル）ホスファイト、サイクリックネオペンタンテトライルビス（オクタデシル）ホスファイト等が挙げられる。
【００１７】
これらのリン酸エステルは、それぞれ単独で、あるいは２種以上を組み合わせて使用することができる。
リン酸エステルの水分量を一定値以下に調整する方法としては、入荷したリン酸エステルを防湿袋内に封入する、金属やガラスなどの容器内に入れて密封する、あるいは乾燥ガスを通気させた容器内に保管する等の方法が挙げられる。
【００１８】
更にリン酸エステルの水分量を減少させる方法としては、一般的に使用される乾燥方法が用いられる。具体的な例としては、熱風乾燥法、放射乾燥法、伝導乾燥法、真空乾燥法などが挙げられ、装置の例としてはホッパードライヤー、棚段乾燥機、通気型乾燥機、撹拌型乾燥機、連続式熱風搬送型乾燥機、などが挙げられるが、これらに限定するものではない。特に固体のリン酸エステルを乾燥する場合には乾燥ガスを通気させながらその融点以下の温度で乾燥させることが好ましい。
【００１９】
（カルボキシル基封止剤）
ポリグリコール酸系樹脂組成物には、耐水性向上を目的として、主成分のポリグリコール酸系樹脂１００重量部に対して、カルボキシル基封止剤を好ましくは０．０１〜１０重量部、より好ましくは０．１〜２重量部、さらに好ましくは０．２〜１重量部の割合で配合することが出来る。
このようなカルボキシル基封止剤としては、例えば、Ｎ，Ｎ−２，６−ジイソプロピルフェニルカルボジイミドなどのモノカルボジイミドおよびポリカルボジイミドを含むカルボジイミド化合物、２，２’−ｍ−フェニレンビス（２−オキサゾリン）、２，２’−ｐ−フェニレンビス（２−オキサゾリン）、２−フェニル−２−オキサゾリン、スチレン・イソプロペニル−２−オキサゾリンなどのオキサゾリン化合物、２−メトキシ−５，６−ジヒドロ−４Ｈ−１，３−オキサジンなどのオキサジン化合物、Ｎ−グリシジルフタルイミド、シクロヘキセンオキシド、トリグリシジルイソシアヌレートなどのエポキシ化合物などが挙げられる。
これらカルボキシル基封止剤は、必要に応じて２種以上を併用することが可能である。
【００２０】
（その他の添加剤）
本発明の効果を損なわない範囲において、可塑剤、熱線吸収剤、紫外線吸収剤、酸素吸収剤、結晶核剤などの各種添加剤や他の熱可塑性樹脂を添加することが出来る。これ等の添加場所、添加手段は従来公知のものを採用できる。
【００２１】
（混合）
脂肪族ポリエステル系樹脂と乾燥リン酸エステル化合物をドライエアーや窒素による除湿対策が講じられたタンブラーブレンダー、ヘンシェルブレンダー、ローターブレンダー、リボンブレンダー、など汎用タイプブレンダーを用いて室温からリン酸エステル化合物の融点を超える温度、（ただし脂肪族ポリエステル系樹脂の融点以下）でブレンドし,次工程である溶融混合に供することが好ましい。又、後述するように溶融混合中にホッパー等から固体或は溶解状態で投入し混合することも出来る。
【００２２】
（溶融混練）
脂肪族ポリエステル系樹脂と乾燥リン酸エステル化合物の溶融混練装置は一軸押出機、二軸押出機（パラレル・コニカルタイプ）など連続式混合機等汎用押出機が有効で、スクリュは浅溝、深溝タイプフルフライトや必要に応じて混練度合いを調整できるセグメント式などを使用して溶融混合される。溶融混練温度は樹脂組成や添加剤の種類によるが通常100〜300℃が好ましい。
【００２３】
（添加剤の添加方法）
脂肪族ポリエステル系樹脂と乾燥リン酸エステル化合物のコンパウンドを成形機ホッパーより連続供給装置を用いて所定量連続投入する方法、若しくは脂肪族ポリエステル系樹脂と乾燥リン酸エステル化合物を別々の連続定量供給装置から所定量を連続投入する方法が採用される。後者の場合、リン酸エステル化合物を溶融させて連続添加することもできる。この時の供給手段はギヤポンプなどが有効である。更にはリン酸エステルの添加量が少ない場合は、予め脂肪族ポリエステル系樹脂とリン酸エステルを粉末ブレンドしたもの或は両者を溶融混合してペレット化した高濃度リン酸エステルのマスターバッチを製造し、それを所定量になるよう連続添加する方法も採用できる。
【００２４】
又、他の添加剤を溶融混合する場合も、この方法が適用できる。更に、複数の添加剤を導入する場合、添加剤間で反応することが不利益になるときは、必要に応じて添加剤を別々の場所から添加からすることが有効である。添加場所としては押出機の途中が容易で、添加後混合や反応が十分満たされるようにL/D（スクリュ長さ/スクリュ径）やスクリュデザインなど押出機に制限はない。添加順序はリン酸エステル化合物等熱安定剤を初期に導入することが望ましい。尚、一度添加剤を溶融混合した脂肪族ポリエステル系樹脂組成物を再度別な添加剤と溶融混合する方法も適用できる。
【００２５】
（ストランド引取りとペレット化）
このようにして混練溶融されて押し出されたストランドをペレット化する方法は先ずストランドを汎用コンベアー又はメッシュコンベアーなどで引取りながら徐冷する方法、コンベアー上で送風による強制冷却又はミストを噴霧して冷却する方法やストランドを直接水槽（好ましくは１０℃〜７０℃）に浸漬し、取り出し後、送風により付着水を除去する一般的な冷却引取り方法が採用できる。冷却調整や水滴除去のため、ブロアー等の装置使用は有効である。冷却されたストランドは汎用のストランドカッターで所定のサイズに切り、ペレット化される。
【００２６】
（ペレットの乾燥・熱処理）
成形されたペレットはストランドの冷却方法や作業環境により水分を吸着している。
脂肪族ポリエステル系樹脂は一般的に加水分解性であり、その加水分解に伴い、ガスバリアー性や機械的強度が低下する問題がある。又、ペレット化後の脂肪族ポリエステル系樹脂組成物は未反応モノマーなどを含んでおり、加水分解を促進する恐れがあるため、用途に制限を受ける場合がある。これらの水分や未反応モノマーを除去する場合、その手段は除湿ホッパードライヤー、パドルドライヤー、ロータリードライヤー、振動ドライヤー、ＰＶミキサー、ＳＶミキサー、ダブルコーンドライヤー、棚式ドライヤー、真空乾燥機、ヘンシェルミキサー、棚段式乾燥機、ドラムドライヤー、ロータリーキルンなどの乾燥処理装置が採用される。
【００２７】
又、乾燥処理は吸着水が樹脂の表面に存在している成形直後が効果的である。その時の乾燥温度は室温以上で好ましくは４０℃〜１５０℃で乾燥時間は３０分から８０時間、好ましくは２ｈ〜４８ｈである。一方、未反応モノマー除去温度は１００℃以上で脂肪族ポリエステル系樹脂組成物の融点以下が好ましく、高温ほど短時間で除去できるが、着色し易くなるため樹脂組成や添加剤配合処方により調整が必要である。尚、乾燥及び未反応モノマー処理は露点１０℃以下、好ましくは０℃以下、特に好ましくは−２０℃以下のドライエアー若しくは窒素ガスを使用し、処理温度又はそれに近い温度に調整して吹き込むと効率が良い。
【実施例】
【００２８】
以下、実施例、比較例および参考例により、本発明を更に具体的に説明する。なお、本明細書に記載の特性値は、以下の方法による測定値に基づくものである。
【００２９】
（リン酸エステルの含水率調整）
モノ及びジステアリルリン酸エステルの等モル混合物（（株）ＡＤＥＫＡ製「アデカスタブＡＸ−７１」）に対し次の乾燥処理を施して、含水率の異なる数種類（実施例１〜４）のリン酸エステルを作製した。
（実施例１）露点−４９℃、室温２０℃環境下に設置したオーブンを５０℃にセットし４時間乾燥。
（実施例２）室温２０℃、相対湿度４０％環境下に設置したオーブンを５０℃にセットして４時間乾燥。
（実施例３）室温３５℃、相対湿度５０％環境下に設置したオーブンを５０℃にセットして４時間乾燥。
（実施例４）特に調整を行わない乾燥大気中に放置。
（比較例）３０℃、相対湿度８０％の恒温恒湿槽内に入れ、１日間放置。この比較例の設定は、高温多湿で保存されたリン酸エステルを再現させる条件である。
【００３０】
（含水率測定）
カールフィッシャー水分計を用いて約２ｇに秤量したリン酸エステル（実施例１〜４、比較例）の含水率を測定した。
装置  ：三菱化学製「ＣＡ−１００」（気化装置「ＶＡ−１００」）
気化温度  ：８０℃
キャリヤーガス  ：窒素，２５０ｍｌ／ｍｉｎ
エンドセンス  ：バックグラウンドより＋０．０５μｇ／ｓまで低下した時点で測定を終了した。
その結果、表１に示すように、リン酸エステルの含水率は、実施例１で０．１０ｗｔ％、実施例２で０．２３ｗｔ％、実施例３で０．４７ｗｔ％、実施例４で０．７６ｗｔ％、比較例で１．８０ｗｔ％とする結果が得られた。
なお、後記する原料ＰＧＡの含水率測定は、気化温度を２２０℃に設定した以外は、上記方法に準じて実施した。
【００３１】
（ＰＧＡ組成物の作製）
ＰＧＡ（（株）クレハ製；Ｍｗ＝１９×１０4，含水率４３．４ｐｐｍ）／１００ｇ、リン酸エステル（実施例１〜４、比較例）／０．０２ｇ（２００ｐｐｍ）、Ｎ，Ｎ−２，６−ジイソプロピルフェニルカルボジイミド（ＣＤＩ）（川口化学（株）製「ＤＩＰＣ」）／０．３ｇ（０．３ｐｈｒ）を、２２０〜２５０℃に温度設定された押出機で溶融混練し、ペレット化した。そして、このペレットを１８０℃×３５ｈｒで熱処理して、残モノマーを除去した。
【００３２】
（耐水性評価）
得られたＰＧＡ組成物のペレットを、２８０℃でプレスしてシート化し、５０℃×９０％ＲＨ環境下に暴露し、所定時間経過毎に、下記方法により重量分子量を測定した。そして、得られた結果から近似曲線を作成してＰＧＡの当初重量平均分子量（Ｍｗ＝１９×１０4）が、Ｍｗ＝７×１０4になるまでの時間を算出した。ＰＧＡ組成物の耐水性を評価した結果を表１に示す。図１は、この表１の結果をグラフ化したものである。
【００３３】
（分子量測定）
シート化されたＰＧＡ組成物のサンプル約１０ｍｇを採取し、このサンプルを５ｍＭのトリフルオロ酢酸ナトリウムを溶解させたヘキサフルオロイソプロパノール（ＨＦＩＰ）溶液１０ｍｌに溶解させた。このサンプル溶液をポリテトラフルオロエチレン製の０．１μｍメンブレンフィルターで濾過後、２０μｌをゲルパーミエーションクロマトグラフィ（ＧＰＣ）装置に注入し、下記の条件で分子量を測定した。
なお、実施例及び比較例においてＰＧＡの耐水性を、当初重量平均分子量（Ｍｗ＝１９×１０4）が、Ｍｗ＝７×１０4に到達する時間に基づいて評価している。しかし、実際に評価対象となるＰＧＡサンプルの当初重量平均分子量は特に限定はなく、Ｍｗ＝１９×１０4に内挿又は外挿して得られる平均分子量Ｍｗ−時間の依存曲線に基づいてＰＧＡの耐水性を評価することができる。
【００３４】
ＧＰＣ測定条件は次の通りである。
装置：昭和電工（株）製「Ｓｈｏｄｅｘ−１０４」
カラム：ＨＦＩＰ−６０６Ｍを２本、プレカラムとしてＨＦＩＰ−Ｇを１本直列接続、
カラム温度：４０℃、
溶離液：５ｍＭのトリフルオロ酢酸ナトリウムを溶解させたＨＦＩＰ溶液、
流速：０．６ｍｌ／分、
検出器：ＲＩ（示差屈折率）検出器、
分子量校正：分子量の異なる標準ポリメタクリル酸メチル５種を用いた。
【００３５】
次に、参照例として表２に示すように、含水率の異なる原料ＰＧＡ（参照例１〜６）を作製し、当初重量平均分子量（Ｍｗ＝１９×１０4）が、Ｍｗ＝７×１０4になるまでの到達時間を導いた。図２は、この表２の結果をグラフ化したものである。
なおポリグリコール酸系樹脂組成物は、原料組成物中の水分含水率が高いほど分解速度が大きくなることは元より知られている。
【００３６】
ここで、ＰＧＡ組成物におけるリン酸エステルは、主成分のＰＧＡに対して２００ｐｐｍ程度しか配合されていないことを鑑みると、仮にこのリン酸エステルの含水率の変動量が１ｗｔ％であった場合、ＰＧＡ組成物全体の変動量に換算すると２ｐｐｍ程度にすぎない。
【００３７】
ここで、図２の結果から、ＰＧＡの含水率２ｐｐｍの変化がおよぼすＭｗ到達時間の変動量は、約１．２時間である。一方、図１の結果から、リン酸エステルの含水率１ｗｔ％の変化がおよぼすＭｗ到達時間の変動量は、約１６時間となっている。
以上より、リン酸エステルを乾燥する工程を経てから、ＰＧＡに配合させることにより、製造されるＰＧＡ組成物の耐水性が顕著に向上するという知見が得られた。
【００３８】
【表１】
0005946309.tif 000002
【００３９】
【表２】
0005946309.tif 000003
【産業上の利用可能性】
【００４０】
上述したように、本発明によれば、耐水性に優れるポリグリコール酸系樹脂組成物の製造方法が得られる。これにより、耐水背が改善され、品質の安定したポリグリコール酸系樹脂組成物を製造することができる。
【図１】
0005946309.tif 000004
【図２】
0005946309.tif 000005